(57)【要約】  【課題】スパンロスの測定誤差による影響を軽減し、高速かつ高精度に光増幅を制御することのできるＷＤＭ光伝送システムおよび光増幅装置を提供する。  【解決手段】本発明のＷＤＭ光伝送システムでは、上流側の光増幅ユニット３０から伝送路ファイバ１に出力されるＷＤＭ信号光の波長数情報および信号出力レベル情報が監視制御光を利用して下流側の光増幅ユニット５０に伝えられる。下流側の光増幅ユニット５０では、上流側の信号出力レベル情報と下流側の信号入力レベル情報を用いて伝送路ファイバ１の損失（スパンロス）が計算され、その損失を基に下流側の光増幅器５１に設定する利得が算出されると共に、波長数情報を用いて計算した信号出力レベルの目標値と実測値との差分により前記利得の補正が行われ、補正後の利得に従って光増幅器５１の制御が行われる。  【選択図】図１
2008085712.tif 000002
【特許請求の範囲】
【請求項１】
波長の異なる複数の光信号が合波された波長多重（ＷＤＭ）信号光を増幅する第１光増幅部と、
前記第１増幅部で増幅されたＷＤＭ信号光が一端に入力される光伝送路と、
前記光伝送路の他端から出力されるＷＤＭ信号光を増幅する第２光増幅部と、を含んだＷＤＭ光伝送システムにおいて、
前記第１光増幅部に入力されるＷＤＭ信号光の波長数を検出して波長数情報を生成する波長数検出部を備え、
前記第１光増幅部は、
入力されるＷＤＭ信号光を増幅する第１光増幅器と、
前記第１光増幅器から出力されるＷＤＭ信号光の総パワーを検出して第１信号出力レベル情報を生成する第１信号出力モニタと、
前記波長数検出部で生成された波長数情報および前記第１信号出力モニタで生成された第１信号出力レベル情報を含んだ監視制御光を送信する監視制御光送信器と、
前記第１光増幅器で増幅されたＷＤＭ信号光および前記監視制御光送信器から送信された監視制御光を合波して前記光伝送路の一端に与える合波器と、を有し、
前記第２光増幅部は、
前記光伝送路の他端から出力される光をＷＤＭ信号光および監視制御光に分波する分波器と、
前記分波器で分波されたＷＤＭ信号光を増幅する第２光増幅器と、
前記第２光増幅器に入力されるＷＤＭ信号光の総パワーを検出して信号入力レベル情報を生成する信号入力モニタと、
前記第２光増幅器から出力されるＷＤＭ信号光の総パワーを検出して第２信号出力レベル情報を生成する第２信号出力モニタと、
前記分波器で分波された監視制御光を受信して前記波長数情報および前記第１信号出力レベル情報を取得する監視制御光受信器と、
前記監視制御光受信器で取得された第１信号出力レベル情報および前記信号入力モニタで生成された信号入力レベル情報を用いて前記光伝送路における損失を計算し、その損失に基づいて前記第２光増幅器に設定する利得を算出すると共に、前記監視制御光受信器で取得された波長数情報を用いて前記第２光増幅器の目標信号出力レベルを計算し、その目標信号出力レベルと前記第２信号出力モニタで生成された第２信号出力レベル情報との差分を補正値として前記算出した利得の補正を行い、その補正した利得に従って前記第２光増幅器を制御する制御回路と、を有することを特徴とするＷＤＭ光伝送システム。
【請求項２】
請求項１に記載のＷＤＭ光伝送システムであって、
前記制御回路は、前記監視制御光受信器で取得された波長数情報および前記計算した光伝送路の損失を用いて前記第２光増幅器の目標信号入力レベルを計算し、その目標信号入力レベルと前記信号入力モニタで生成された信号入力レベル情報との差分を前記補正値とすることを特徴とするＷＤＭ光伝送システム。
【請求項３】
請求項１に記載のＷＤＭ光伝送システムであって、
前記制御回路は、前記信号入力モニタのモニタ結果を基にＷＤＭ信号光の波長数が０波であることを判断したとき、前記光伝送路における損失の計算を中止して、前記第２光増幅器を利得一定制御することを特徴とするＷＤＭ光伝送システム。
【請求項４】
請求項１に記載のＷＤＭ光伝送システムであって、
前記第１光増幅部は、
前記光伝送路の一端に向けて出力される監視制御光のパワーを検出して監視制御光出力レベル情報を生成する監視制御光出力モニタを有し、
前記監視制御光送信器は、前記波長数検出部で生成された波長数情報、前記第１信号出力モニタで生成された第１信号出力レベル情報および前記監視制御光出力モニタで生成された監視制御光出力レベル情報を含んだ監視制御光を送信し、
前記第２光増幅部は、
前記光伝送路の他端より入力される監視制御光のパワーを検出して監視制御光入力レベル情報を生成する監視制御光入力モニタを有し、
前記監視制御光受信器は、前記分波器で分波された監視制御光を受信して前記波長数情報、前記第１信号出力レベル情報および前記監視制御光出力レベル情報を取得し、
前記制御回路は、前記信号入力モニタのモニタ結果を基にＷＤＭ信号光の波長数が０波であることを判断したとき、前記監視制御光受信器で取得された監視制御光出力レベル情報および前記監視制御光入力モニタで生成された監視制御光入力レベル情報を用いて前記光伝送路における損失を計算することを特徴とするＷＤＭ光伝送システム。
【請求項５】
光伝送装置から光伝送路を介して入力される波長多重信号光を増幅する光増幅部を有する光増幅装置であって、
前記波長多重信号光の波長数情報と、前記光伝送装置が出力する前記波長多重信号光の光パワーレベルである第１信号出力レベル情報とを含む監視制御光を受信する監視制御光受信部と、
前記入力された波長多重信号光の光パワーレベルを検出し、信号入力レベル情報として出力する第１の光検出部と、
前記光増幅部で増幅された前記波長多重信号光の光パワーレベルを検出し、第２信号出力レベル情報として出力する第２の光検出部と、
前記第１信号出力レベル情報および前記信号入力レベル情報を用いて前記光伝送路における損失を計算し、その損失に基づいて前記光増幅部に設定する利得を算出すると共に、前記波長数情報を用いて前記光増幅部の目標信号出力レベルを計算し、その目標信号出力レベルと前記第２信号出力レベル情報との差分を補正値として前記算出した利得の補正を行い、その補正した利得に従って前記光増幅部を制御する制御回路と、を有することを特徴とする光増幅装置。
【発明の詳細な説明】
【技術分野】
【０００１】
本発明は、波長多重（Wavelength Division Multiplexing：ＷＤＭ）信号光を増幅しながら伝送するＷＤＭ光伝送システムおよび光増幅装置に関し、特に、信号出力レベルが一定となるように光増幅の制御が行われるＷＤＭ光伝送システムおよび光増幅装置に関する。
【背景技術】
【０００２】
ＷＤＭ光伝送システムにおいて光増幅器を使用する場合、その光増幅動作の制御方法には、一般的に、利得一定制御（Automatic Gain Control：ＡＧＣ）および信号レベル一定制御（Automatic Level Control：ＡＬＣ）が知られている。利得一定制御は、装置立ち上げ時に伝送路損失に応じた利得を設定し、その後、設定された利得を保持し続ける方法である。また、信号レベル一定制御は、装置立ち上げ時に伝送路損失に応じた利得を設定し、その後、伝送しているＷＤＭ信号光の波長数情報に基づいて、光増幅器の総信号出力レベルが一定となるように、利得を可変制御する方法である。
【０００３】
しかし、上記の利得一定制御については、伝送路損失の変化により光増幅器の出力信号レベルが変動してしまうという問題点がある。例えば、伝送路ファイバの損失（伝送路損失）は、温度により変化する。また、何らかの理由で伝送路ファイバに曲げなどの応力が加わり、伝送路ファイバ損失が変化する可能性もある。そのような条件下において利得一定制御を行うと、伝送路損失の変化に応じて光増幅器の出力信号レベルが変動するようになり、信号受信感度面から最適な信号レベルから逸脱してしまう可能性がある。
【０００４】
また、上記の信号レベル一定制御については、ＷＤＭ信号光の波長数情報を得るのに時間を要することが原因で、信号レベル変動を引き起こしてしまうという問題点がある。すなわち、信号レベル一定制御を実現するためには、光増幅器が現在増幅しているＷＤＭ信号光の「波長数」の情報が必要である。何故ならば、信号レベル一定制御は、１波長あたりの信号レベルに波長数を掛け合わせた総信号レベルを目標値として、光増幅器の利得を可変制御するためである。波長の異なる複数の光信号が束ねられたＷＤＭ信号光の波長数を検出するためには、１波長毎のレベルを測定して光信号の有無を検出する検出部が必要となる。
【０００５】
ところで、ＷＤＭ光伝送システム上の光増幅器に与えられるＷＤＭ信号光の波長数は、例えば図４に示すように、当該光増幅器よりも上流側に合分波器等を備えた光伝送装置、例えばＯＡＤＭ（Optical Add Drop Multiplexer)が適用されることにより、通信サービスの運用中もＷＤＭ信号光の波長数が任意に変化する。したがって、ＷＤＭ光伝送用の光増幅器では、ＷＤＭ信号光の波長数の変化に対応するために、通常、高速の利得一定制御が行われる。
【０００６】
この高速の利得一定制御のみが行われるものが、前述した「利得一定制御」に該当しており、「信号レベル一定制御」は、この高速の利得一定制御に加えて、波長数情報を使用して信号レベル一定制御を実施するものである。
【０００７】
上記のように波長数情報を用いた信号レベル一定制御においては、高速の利得一定制御が同時に実施されるため、信号レベルを一定にする制御速度と、当該制御に使用する波長数の検出時間との間には、例えば図５に模式的に示すような関係がある。すなわち、制御速度に対して検出時間が長い場合、ＷＤＭ信号光の波長数の変動が時刻ｔ０で発生して総入力パワーが変化した後、波長数の変動が検出されるまでの間、実際には波長数が変化しているにもかかわらず、総出力パワーが変化前の波長数に対応したレベルに近づくようにするという、誤った信号レベル一定制御が行われる（図５下段の破線参照）。そして、波長数の変動が検出部で検出され、当該情報が光増幅器に伝えられた時点ｔ１で、それまでの誤った信号レベル一定制御が中止され、変動後の波長数に応じた総出力パワーとなる制御が行われる。よって、総出力パワーにレベル変動ΔＰを引き起こしてしまうことになる。別の言い方をすると、ΔＰが最小になる様、信号レベル一定制御の制御速度を遅く設定する必要が生じる。
【０００８】
上記のような関係より、例えば、伝送路損失の温度変動といった遅い変動を吸収するような制御速度の遅い信号レベル一定制御を行う場合には特に問題とならないが、伝送路ファイバに曲げなどの応力が加わったような場合に、信号レベル一定制御によって瞬時（例えば、ミリ秒（ｍｓ）オーダー）に出力光の信号レベルの引き込みを行おうとすると、波長数の検出時間を高速化する必要が生じる。
【０００９】
つまり、伝送路ファイバに曲げなどの瞬時の信号レベル変動に対応するためには、高速な信号レベル一定制御が必要となり、かつ、波長数変動時のΔＰを小さくするためには波長数情報を高速に伝達して信号レベル一定制御を停止して利得一定制御とする必要がある。
【００１０】
しかし、波長数の検出には検出デバイスの制約等により、検出時間の高速化が困難な場合もあり問題となる。従って、実際には、ΔＰを０にすることは難しく、波長数変動時にはある程度のレベル変動を許容するような設計になる。
【００１１】
このような問題に対して、波長数検出の高速化が不要な信号レベル一定制御として、直前の中継装置との間の伝送区間における損失（スパンロス）を常にモニタし、その伝送路損失のモニタ結果に応じて光増幅器の出力信号レベルを一定に制御する（以下、「スパンロスモニタによる信号レベル一定制御」と呼ぶ）方式が提案されている（例えば、特許文献１参照）。
【００１２】
図６は、スパンロスモニタによる信号レベル一定制御を適用したＷＤＭ光伝送システムの主要部の構成例を示したものである。この構成例では、システムの上流側に位置する光増幅ユニット１１０内に設けられた光増幅器１１１の信号出力レベルが出力モニタ１１２で検出され、その信号出力レベル情報が制御回路１１３から監視制御光（Optical Supervisory Channel：ＯＳＣ）送信器１１４に伝えられる。そして、信号出力レベル情報を含んだ監視制御光がＯＳＣ送信器１１４で生成され、合波器１１５でＷＤＭ信号光と合波されて伝送路ファイバ１０１に出力され、下流側の光増幅ユニット１３０に向けて伝送される。光増幅ユニット１３０では、伝送路ファイバ１０１を伝送された光が分波器１３２でＷＤＭ信号光と監視制御光に分波され、監視制御光に含まれる段の光増幅ユニット１１０の信号出力レベル情報がＯＳＣ受信器１３４で検出されると共に、光増幅器１３１に与えられるＷＤＭ信号光の信号入力レベルが入力モニタ１３３で検出され、ＯＳＣ受信器１３４および入力モニタ１３３における検出結果が制御回路１３５にそれぞれ伝えられる。そして、制御回路１３５では、上流側での信号出力レベルと下流側での信号入力レベルとを用いて伝送路ファイバ１０１におけるスパンロスが算出され、そのスパンロスを基に光増幅器１３１の利得が設定されることで、光増幅器１３１から出力されるＷＤＭ信号光の信号レベル一定制御が行われる。
【００１３】
上記のようなスパンロスモニタによる信号レベル一定制御では、前述したような波長数検出が行われないため、ミリ秒オーダーの速い制御速度で信号レベル一定制御を行うことができる。これにより、スパンロスが高速に変動した場合でも、光増幅器の信号出力レベルの変動を小さく抑えることが可能になる。
【００１４】
具体的に、前述した波長数情報を用いた信号レベル一定制御と、スパンロスモニタによる信号レベル一定制御とを比較してみる。例えば、伝送路ファイバが揺すられるなどしてスパンロスが高速に変動した場合、当該伝送路ファイバの下流に配置された光増幅器への信号入力波形は、例えば図７の上段に示すように、スパンロスの変動が時刻Ｔ０で発生してから時刻Ｔ１で終了するまでの間に大きく変動する。このような場合に、当該光増幅器に対して波長数情報を用いた信号レベル一定制御が適用されていると、信号レベル一定制御の速度が波長数の検出時間に対して十分に遅くなるように設定しなければならないため、その信号出力波形は、図７の中段に示すように、信号入力レベルの変動がほぼそのままの形で表れた波形となる。
【００１５】
一方、上記光増幅器に対してスパンロスモニタによる信号レベル一定制御が適用されていると、ミリ秒オーダーの高速な信号レベル一定制御が掛けられるため、その信号出力波形は、例えば図７の下段に示すように、信号入力レベルの変動が抑圧された波形となる。したがって、スパンロスモニタによる信号レベル一定制御では、信号受信感度面から最適な信号レベルを保持することが可能となる。
【特許文献１】特開平１１−２６１４９０号公報
【発明の開示】
【発明が解決しようとする課題】
【００１６】
しかしながら、上記のようなスパンロスモニタによる信号レベル一定制御が適用された光増幅器では、スパンロスの測定誤差が信号出力レベルの設定誤差に直結してしまうという課題がある。また、例えば図８に示すように、スパンロスモニタによる信号レベル一定制御が適用された光増幅ユニット２０１〜２０３が伝送路ファイバ２１１〜２１３を介して多段に接続された場合には、各々の光増幅ユニットにおけるスパンロスの測定誤差が累積してしまうという問題点がある。具体的に、例えば、第１〜第３の中継区間の各伝送路ファイバ２１１，２１２，２１３における実際のスパンロスが２２ｄＢ，２５ｄＢ，２３ｄＢであったときに、各光増幅ユニット２０１，２０２，２０３でそれぞれ算出されたスパンロスが２１．５ｄＢ，２４．５ｄＢ，２２．５ｄＢであったとすると、各々の光増幅ユニット２０１，２０２，２０３で設定される信号出力レベルの目標値に−０．５ｄＢの誤差がそれぞれ発生する。このため、３段の光増幅ユニット２０１，２０２，２０３を順に通過した後の信号光には、１．５ｄＢのレベル低下が発生してしまうことになる。
【００１７】
本発明は上記の点に着目してなされたもので、スパンロスモニタによる信号レベル一定制御の利点を生かしつつ、スパンロスの測定誤差による影響を軽減し、高速かつ高精度に光増幅を制御することのできるＷＤＭ光伝送システムおよび光増幅装置を提供することを目的とする。
【課題を解決するための手段】
【００１８】
上記の目的を達成するため、本発明のＷＤＭ光伝送システムは、波長の異なる複数の光信号が合波されたＷＤＭ信号光を増幅する第１光増幅部と、前記第１増幅部で増幅されたＷＤＭ信号光が一端に入力される光伝送路と、前記光伝送路の他端から出力されるＷＤＭ信号光を増幅する第２光増幅部と、を含んだＷＤＭ光伝送システムにおいて、前記第１光増幅部に入力されるＷＤＭ信号光の波長数を検出して波長数情報を生成する波長数検出部を備える。また、前記第１光増幅部は、入力されるＷＤＭ信号光を増幅する第１光増幅器と、前記第１光増幅器から出力されるＷＤＭ信号光の総パワーを検出して第１信号出力レベル情報を生成する第１信号出力モニタと、前記波長数検出部で生成された波長数情報および前記第１信号出力モニタで生成された第１信号出力レベル情報を含んだ監視制御光を送信する監視制御光送信器と、前記第１光増幅器で増幅されたＷＤＭ信号光および前記監視制御光送信器から送信された監視制御光を合波して前記光伝送路の一端に与える合波器と、を有している。さらに、前記第２光増幅部は、前記光伝送路の他端から出力される光をＷＤＭ信号光および監視制御光に分波する分波器と、前記分波器で分波されたＷＤＭ信号光を増幅する第２光増幅器と、前記第２光増幅器に入力されるＷＤＭ信号光の総パワーを検出して信号入力レベル情報を生成する信号入力モニタと、前記第２光増幅器から出力されるＷＤＭ信号光の総パワーを検出して第２信号出力レベル情報を生成する第２信号出力モニタと、前記分波器で分波された監視制御光を受信して前記波長数情報および前記第１信号出力レベル情報を取得する監視制御光受信器と、前記監視制御光受信器で取得された第１信号出力レベル情報および前記信号入力モニタで生成された信号入力レベル情報を用いて前記光伝送路における損失を計算し、その損失に基づいて前記第２光増幅器に設定する利得を算出すると共に、前記監視制御光受信器で取得された波長数情報を用いて前記第２光増幅器の目標信号出力レベルを計算し、その目標信号出力レベルと前記第２信号出力モニタで生成された第２信号出力レベル情報との差分を補正値として前記算出した利得の補正を行い、その補正した利得に従って前記第２光増幅器を制御する制御回路と、を有している。
【００１９】
上記のような構成のＷＤＭ光伝送システムでは、上流側の第１光増幅部から光伝送路に出力されるＷＤＭ信号光についての波長数情報および第１信号出力レベル情報が監視制御光を利用して下流側の第２光増幅部に伝えられる。第２光増幅部では、制御回路において、第１信号出力レベル情報に示される上流側でのＷＤＭ信号光の総出力パワーと、信号入力モニタで検出された下流側でのＷＤＭ信号光の総入力パワーを用いて光伝送路の損失（スパンロス）が計算され、その損失に基づいて第２光増幅器に設定する利得が算出される。また、ＷＤＭ信号光の波長数情報を用いて第２光増幅器の目標信号出力レベルが計算され、その目標信号出力レベルと第２信号出力モニタで検出された信号出力レベルとの差分が計算される。スパンロスを基に算出した利得はスパンロスの測定誤差を含んでいるので、その誤差の補正が波長数情報を用いて計算した信号出力レベルの目標値と実測値との差分により行われ、補正後の利得に従って第２光増幅器の制御が行われる。上記の制御における波長数情報を用いた補正は、あくまで誤差を補正するために行われ、その実施周期は、当該誤差の要因によるが、主に温度や経年変動が要因と考えると、秒オーダーの長周期とすることが可能である。
【発明の効果】
【００２０】
上記のような本発明のＷＤＭ光伝送システムによれば、スパンロスの測定誤差によって生じる利得の設定誤差が波長数情報を用いて計算した補正値により補償されるようにしたことで、光伝送路のスパンロスやＷＤＭ信号光の波長数が変動しても、システム上下流側に位置する光増幅器の制御を高速かつ高精度に行うことができ、ＷＤＭ光伝送システムにおける信号受信感度の向上を図ることが可能になる。また、波長数情報を用いた補正を実施するが、その制御速度（実施周期）は前述の通り遅くすることが可能である。従来の波長数情報を用いた信号出力レベル一定制御では、スパンロスが高速に変動した時のレベル変動を抑圧するために、制御速度を極力速くする必要があったので、波長数の検出時間との関係でレベル変動が発生していた。しかし、スパンロスモニタによる信号レベル一定制御の誤差の補正用として波長数情報を適用する場合には、従来のようなレベル変動も解消される。
【発明を実施するための最良の形態】
【００２１】
以下、本発明を実施するための最良の形態について添付図面を参照しながら説明する。なお、全図を通して同一の符号は同一または相当部分を示すものとする。
【００２２】
図１は、本発明の第１実施形態による光増幅器を用いたＷＤＭ光伝送システムの主要部の構成を示すブロック図である。
【００２３】
図１において、本実施形態のＷＤＭ光伝送システムは、例えば、光伝送路である伝送路ファイバ１を伝送されるＷＤＭ信号光に対して所望の波長の光信号を合分波する光合分波ユニット１０と、該光合分波ユニット１０の出力端に接続された光増幅ユニット３０と、該光増幅ユニット３０から出力されるＷＤＭ信号光が伝送路ファイバ１を介して入力される光増幅ユニット５０と、を備える。ここでは、光合分波ユニット１０および光増幅ユニット３０が、ＷＤＭ光伝送システム上の光アド・ドロップ（Optical Add-Drop Multiplexer：ＯＡＤＭ）ノードの一部を構成し、光増幅ユニット５０が、前記ＯＡＤＭノードの下流に位置する光中継ノードの一部を構成しているものとする。
【００２４】
光合分波ユニット１０は、例えば、合分波部１１および波長数検出部１２を有する。合分波部１１は、入力されるＷＤＭ信号光に含まれる複数の波長の光信号のうちから所望の波長の光信号を分岐、挿入または透過するものであり、具体的には、光スイッチ、マルチプレクサ、デマルチプレクサ、波長ブロッカー等のデバイスの組合せにより構成されている。波長数検出部１２は、ここでは合分波部１１から出力されるＷＤＭ信号光に含まれる光信号の波長数を検出するものである。この波長数検出部１２は、前述した波長数情報を用いた信号レベル一定制御を行うときに必要な検出部と基本的に同様な構成を有しており、具体的には、ＷＤＭ信号光の１波長毎のレベルを測定して各波長の光信号の有無を検出することでＷＤＭ信号光の波長数を判別し、その波長数情報を後段の光増幅ユニット３０側に伝える。なお、ＷＤＭ信号光の波長数の検出方法は、上記の一例に限定されるものではなく、公知の方法を適用して波長数を検出することが可能である。
【００２５】
光増幅ユニット３０は、例えば、光増幅器３１、信号出力モニタ３２、制御回路３３、ＯＳＣ送信器３４および合波器３５を有する。光増幅器３１は、光合分波ユニット１０から出力されるＷＤＭ信号光が入力され、該ＷＤＭ信号光を一括して増幅することのできる公知の光増幅器である。この光増幅器３１は、１波長あたりの信号出力レベルが一定になるように利得が制御されているものとする。信号出力モニタ３２は、光増幅器３１から出力されるＷＤＭ信号光の一部を分岐し、該分岐光のパワーを測定することにより、光増幅器３１の総出力パワーをモニタする。この信号出力モニタ３２のモニタ結果は、制御回路３３に伝えられる。制御回路３３は、信号出力モニタ３２でモニタされた信号出力レベル情報を基に光増幅器３１の信号レベル一定制御を行うと共に、該信号出力レベル情報をＯＳＣ送信器３４に伝える。ＯＳＣ送信器３４は、波長数検出部１２から伝えられる波長数情報と、制御回路３３から伝えられる信号出力レベル情報とを含んだ監視制御光を生成し、その監視制御光を合波器３５に出力する。合波器３５は、光増幅器３１から出力されるＷＤＭ信号光とＯＳＣ送信器３４から出力される監視制御光とを合波し、その合波光を伝送路ファイバ１に送出する。
【００２６】
光増幅ユニット５０は、例えば、光増幅器５１、分波器５２、信号入力モニタ５３、信号出力モニタ５４、ＯＳＣ受信器５５および制御回路５６を有する。光増幅器５１は、上流の光増幅ユニット３０から伝送路ファイバ１および分波器５２を介して送られてくるＷＤＭ信号光が入力され、該ＷＤＭ信号光を一括して増幅することのできる公知の光増幅器である。分波器５２は、伝送路ファイバ１からの光をＷＤＭ信号光と監視制御光とに分波して、ＷＤＭ信号光を光増幅器５１に出力し、監視制御光をＯＳＣ受信器５５に出力する。信号入力モニタ５３は、分波器５２から光増幅器５１に入力されるＷＤＭ信号光の一部を分岐し、該分岐光のパワーを測定することにより、光増幅器５１の総入力パワーをモニタする。信号出力モニタ５４は、光増幅器５１から出力されるＷＤＭ信号光の一部を分岐し、該分岐光のパワーを測定することにより、光増幅器５１の総出力パワーをモニタする。上記の信号入力モニタ５３および信号出力モニタ５４の各モニタ結果は、制御回路５６に伝えられる。ＯＳＣ受信器５５は、分波器５２からの監視制御光を受信処理することにより、上流側の光増幅ユニット３０から出力されるＷＤＭ信号光に関する波長数情報および信号出力レベル情報を取得し、それらの情報を制御回路５６に伝える。制御回路５６は、信号入力モニタ５３からの信号入力レベル情報と、ＯＳＣ受信器５５からの信号出力レベル情報とを用いて伝送路ファイバ１のスパンロスを算出すると共に、信号出力モニタ５４からの信号出力レベル情報と、ＯＳＣ受信器５５からの波長数情報とを用いて光増幅器５１の総出力パワーの目標値を算出し、それらの算出結果を組み合わせて光増幅器５１の信号レベル一定制御を行う。この制御回路５６による光増幅器５１の信号レベル一定制御の詳細は後述する。
【００２７】
なお、図１に示した構成例では、ＷＤＭ光伝送システム上の１つの中継区間に注目し、波長数情報および信号出力レベル情報を含んだ監視制御光を上流側の光増幅ユニット３０から送信して下流側の光増幅ユニット５０で受信することで、下流側の光増幅ユニット５０において、波長数情報とスパンロスモニタの組み合わせによる信号レベル一定制御が行われるものとしたが、このような中継区間がシステム上に複数存在する場合、各中継区間の上流側および下流側の光増幅ユニットがそれぞれ監視制御光を送受信する機能を持ち、各々の光増幅ユニットにおいて波長数情報とスパンロスモニタの組み合わせによる信号レベル一定制御が行われることになる。また、図１には、ＯＳＣ送信器３４およびＯＳＣ受信器５５が各光増幅ユニット３０および５０に外付けされる一例を示したが、各光増幅ユニット３０および５０内にＯＳＣ送信器３４およびＯＳＣ受信器５５を設けるようにしてもよい。
【００２８】
次に、第１実施形態の動作について説明する。
【００２９】
上記のような構成のＷＤＭ光伝送システムでは、上流側の光合分波ユニット１０において所要の波長光の分岐または挿入が行われると、後段の光増幅ユニット３０に入力されるＷＤＭ信号光の波長数に変化が生じる。光増幅ユニット３０では、ＷＤＭ信号光の１波長あたりの信号出力レベルが一定になるように光増幅器３１の利得が制御されているため、光増幅ユニット３０に入力されるＷＤＭ信号光の波長数が変化すると、それに応じて光増幅ユニット３０から出力されるＷＤＭ信号光の総出力パワーが変動することになる。
【００３０】
そこで、本実施形態では、光合分波ユニット１０の波長数検出部１２において、合分波部１１から出力されるＷＤＭ信号光の波長数が検出され、その波長数情報がＯＳＣ送信器３４に伝えられる。このときの波長数の検出時間は、従来の場合と同様にある程度の時間を要したとしても、下流の光増幅ユニット５０における信号レベル一定制御の速度を制限することはない。また、上流側の光増幅ユニット３０の信号出力モニタ３２において、光増幅器３１の総出力パワーがモニタされ、そのモニタ結果が信号出力レベル情報として制御回路３３を介してＯＳＣ送信器３４に伝えられる。これにより、下流の光増幅ユニット５０から出力されるＷＤＭ信号光に関する波長数情報および信号出力レベル情報を含んだ監視制御光がＯＳＣ送信器３４で生成され、その監視制御光が合波器３５でＷＤＭ信号光と合波されて、伝送路ファイバ１に送出される。
【００３１】
伝送路ファイバ１に送出されたＷＤＭ信号光および監視制御光は、伝送路ファイバ１内を減衰されながら伝搬して下流側の光増幅ユニット５０に到達する。光増幅ユニット５０に入力されたＷＤＭ信号光および監視制御光は、分波器５２で分波されてＷＤＭ信号光が光増幅器５１に、監視制御光がＯＳＣ受信器５５にそれぞれ送られる。そして、光増幅器５１に入力されるＷＤＭ信号光の総入力パワーが信号入力モニタ５３でモニタされると共に、光増幅器５１から出力されるＷＤＭ信号光の総出力パワーが信号出力モニタ５４でモニタされ、各々のモニタ結果が信号入力レベル情報および信号出力レベル情報として制御回路５６に伝えられる。また、これと同時に、監視制御光に含まれる波長数情報および信号出力レベル情報がＯＳＣ受信器５５で取得され、それらの情報も制御回路５６に伝えられる。
【００３２】
制御回路５６では、ＯＳＣ受信器５５からの信号出力レベル情報によって得られる上流側の光増幅ユニット３０におけるＷＤＭ信号光の総出力パワーＰOUT(T)［ｄＢｍ］と、信号入力モニタ５３からの信号入力レベル情報によって得られる下流側の光増幅ユニット５０におけるＷＤＭ信号光の総入力パワーＰIN(R)［ｄＢｍ］とを用いて、次の（１）式に示す関係に従い、伝送路ファイバ１の現在のスパンロスＳＬNOW［ｄＢ］が算出される。
【００３３】
ＳＬNOW＝ＰOUT(T)−ＰIN(R)  …（１）
そして、システム立ち上げ時に取得したスパンロスＳＬINI［ｄＢ］に対する現在のスパンロスＳＬNOWの変動量ΔＳＬが次の（２）式を用いて求められる。
【００３４】
ΔＳＬ＝ＳＬNOW−ＳＬINI  …（２）
上記のスパンロスの変動量ΔＳＬを用いて、次の（３）式に示す関係に従い、光増幅器５１に設定する利得Ｇ［ｄＢ］が算出される。
【００３５】
Ｇ＝ＳＬINI＋ΔＳＬ＋Ａ＋Ｂ  …（３）
ただし、Ａは波長数情報を用いて算出される補正値［ｄＢ］であり、以下に示す手順に従って算出される。また、Ｂは定数［ｄＢ］である。
【００３６】
上記の補正値Ａの算出には、まず、ＯＳＣ受信器５５からの波長数情報によって得られるＷＤＭ信号光の波長数ｎを用いて、次の（４）式に示す関係に従い、光増幅器５１から出力するＷＤＭ信号光の総出力パワーの目標値ＰOUT(R)-TAR［ｄＢｍ］が計算される。
【００３７】
ＰOUT(R)-TAR＝１０・ｌｏｇ（ｎ・ｐOUT(R)-TAR）  …（４）
ただし、ｐOUT(R)-TARは、光増幅器５１での１波長あたりの信号出力レベルの目標値［ｍＷ］である。
【００３８】
そして、信号出力モニタ５４からの信号出力レベル情報によって得られる光増幅器５１の総出力パワーの実測値ＰOUT(R)［ｄＢｍ］と、上記の総出力パワーの目標値ＰOUT(R)-TARとの比較を行い、その差分を上記の（３）式における補正値Ａとする。すなわち、補正値Ａは、次の（５）式に従って計算される。
【００３９】
Ａ＝ＰOUT(R)-TAR−ＰOUT(R)  …（５）
なお、上記の（１）式乃至（３）式による利得Ｇの計算は、従来のスパンロスモニタによる信号レベル一定制御の場合と同様にして、ミリ秒オーダーの周期で行われる。一方、上記の（４）式および（５）式に従う補正値Ａの計算は、波長検出部１２における波長数の検出時間よりも十分に遅い周期（例えば、１００ｍｓ程度）で行われる。補正値Ａの一計算周期の間に繰り返される利得Ｇの計算には、直前の計算結果を保持した補正値Ａが用いられるものとする。
【００４０】
上記のようにして算出された利得Ｇが光増幅器５１に設定されることにより、スパンロスのモニタ値に誤差が発生したとしても、それによる利得Ｇの設定誤差が波長数情報を用いて計算した補正値Ａにより補償されるため、ミリ秒オーダーの高速な制御速度を実現しながら、スパンロスの測定誤差による影響を軽減した信号レベル一定制御が光増幅器５１に対して行われるようになる。このような信号レベル一定制御は、光増幅器５１の総出力パワーの実測値と、１波長あたりの信号出力レベルに波長数を掛け合わせた総出力パワーの目標値との差に応じて補正値Ａが決められるので、ＷＤＭ光伝送システム上で光増幅ユニットが多段に接続されている場合でも、信号出力レベルの誤差が累積して拡大するようなこともない。
【００４１】
以上のように第１実施形態のＷＤＭ光伝送システムによれば、伝送路ファイバ１のスパンロスやＷＤＭ信号光の波長数が変動しても、システム上の光増幅器に対する信号レベル一定制御を高速かつ高精度に行うことができる。よって、ＷＤＭ光伝送システムにおける信号受信感度の向上を図ることが可能になる。
【００４２】
なお、上記の第１実施形態では、波長数情報を利用して補正値Ａを計算する際に、光増幅器５１の総出力パワーの実測値と目標値の差分をとる一例を示したが、本発明はこれに限らず、例えば、光増幅器５１の総入力パワーの実測値と目標値の差分をとるようにしてもよい。
【００４３】
具体的には、制御回路５６において、ＯＳＣ受信器５５からの波長数情報によって得られるＷＤＭ信号光の波長数ｎと、前述の（１）式に従って算出したスパンロスＳＬとを用いて、次の（４）’式に示す関係に従い、光増幅器５１に入力するＷＤＭ信号光の総入力パワーの目標値ＰIN(R)-TAR［ｄＢｍ］が計算される。
【００４４】
ＰIN(R)-TAR＝１０・ｌｏｇ（ｎ・ｐOUT(T)-TAR）−ＳＬ  …（４）’
ただし、ｐOUT(T)-TARは、上流側の光増幅器３１での１波長あたりの信号出力レベルの目標値［ｍＷ］である。
【００４５】
そして、信号入力モニタ５３からの信号出力レベル情報によって得られる光増幅器５１の総入力パワーの実測値ＰIN(R)［ｄＢｍ］と、上記の総入力パワーの目標値ＰIN(R)-TARとの比較を行い、その差分を前述の（３）式における補正値Ａとする。すなわち、補正値Ａは、次の（５）’式に従って計算される。
【００４６】
Ａ＝ＰIN(R)-TAR−ＰIN(R)  …（５）’
次に、本発明の第２実施形態について説明する。
【００４７】
前述の図１に示した第１実施形態のシステム構成において、上流側の光増幅ユニット３０から下流側の光増幅ユニット５０に送られるＷＤＭ信号光の波長数が０波となり波長断が発生した場合、伝送路ファイバ１におけるスパンロスをモニタすることが困難となる。その理由は、前述の（１）式に示したように、スパンロスＳＬは、ＯＳＣ受信器５５からの信号出力レベル情報によって得られる上流側の光増幅ユニット３０の総出力パワーＰOUT(T)と、信号入力モニタ５３からの信号入力レベル情報によって得られる下流側の光増幅ユニット５０の総入力パワーＰIN(R)とを用いて算出されるが、下流側の光増幅ユニット５０に入力されるＷＤＭ信号光が波長断になると、信号入力モニタ５３における総入力パワーＰIN(R)の測定ができなくなるためである。
【００４８】
このようなＷＤＭ信号光の波長断発生時には、光増幅器の制御方式を適切に切り替えなければ、正しい制御が掛けられないばかりか、場合によっては下流の光増幅器の利得を異常値に設定してしまい、ＷＤＭ信号光が復旧（波長数が１波以上）した時にＷＤＭ信号光の伝送品質を劣化させてしまう可能性もある。
【００４９】
そこで、第２実施形態では、上記のようなＷＤＭ信号光の波長断発生時にも光増幅器を正常に制御できるようにした応用例を説明する。
【００５０】
図２は、本発明の第２実施形態による光増幅器を用いたＷＤＭ光伝送システムの主要部の構成を示すブロック図である。
【００５１】
図２において、本実施形態のＷＤＭ光伝送システムの構成が前述の図１に示した第１実施形態の場合と異なる点は、上流の光増幅ユニット３０内の合波器３５の後段にＯＳＣ出力モニタ３６を設けると共に、下流の光増幅ユニット５０内の分波器５２の前段にＯＳＣ入力モニタ５７を設けるようにした点である。なお、上記以外の構成は第１実施形態の場合と同様であるため、ここでの説明を省略する。
【００５２】
ＯＳＣ出力モニタ３６は、光増幅ユニット３０から伝送路ファイバ１に送出される監視制御光の出力レベルをモニタする。このＯＳＣ出力モニタ３６のモニタ結果は、図２では矢印線を省略しているが、ＯＳＣ送信器３４に伝えられる。ＯＳＣ送信器３４では、波長数情報および信号出力レベル情報に加えて、ＯＳＣ出力モニタ３６から伝えられるＯＳＣ出力レベル情報を含んだ監視制御信号が生成される。
【００５３】
ＯＳＣ入力モニタ５７は、伝送路ファイバ１を伝搬して光増幅ユニット５０に入力される監視制御光の入力レベルをモニタする。このＯＳＣ入力モニタ５７のモニタ結果は、図２では矢印線を省略しているが、制御回路５６に伝えられ、ＷＤＭ信号光の波長断発生時におけるスパンロスの算出に用いられる。
【００５４】
上記のような構成のＷＤＭ光伝送システムでは、上流の光増幅ユニット３０から下流の光増幅ユニット５０に伝送されるＷＤＭ信号光の波長数が１波以上である場合は、前述した第１実施形態の場合と同様にして、波長数情報を用いて計算した補正値Ａによりスパンロスの測定誤差を補償した利得Ｇに従って、光増幅器５１の信号レベル一定制御が行なわれる。
【００５５】
そして、下流の光増幅ユニット５０内の信号入力モニタ５３においてモニタされるＷＤＭ信号光の総入力パワーが１波相当のレベルよりも低くなり、ＷＤＭ信号光の波長断が判断されると、波長断の検出直前に算出されたスパンロスの変動量ΔＳＬおよび補正値Ａが、制御回路５６内の図示しないメモリに格納される。
【００５６】
一般に、波長断発生時においても監視制御光は疎通している場合が多いので、波長断の発生後から波長断が復旧するまでの間は、上流側の光増幅ユニット３０でのＯＳＣ出力レベル情報と、下流側の光増幅ユニット５０でのＯＳＣ入力レベル情報とからスパンロスの変動量をモニタする。具体的には、下流側の光増幅ユニット５０内の制御回路５６において、ＯＳＣ受信器５５から伝えられる上流側の光増幅ユニットでのＯＳＣ出力レベルＰOSC-OUT(T)［ｄＢｍ］と、ＯＳＣ入力モニタ５７から伝えられる下流側の光増幅ユニット５０でのＯＳＣ入力レベルＰOSC-IN(R)［ｄＢｍ］とを用いて、次の（６）式に示す関係に従い、波長断発生中のスパンロスの変動量ΔＳＬOSCが算出される。
【００５７】
ΔＳＬOSC＝ＳＬOSC−ＳＬINI
＝ＰOSC-OUT(T)−ＰOSC-IN(R)−ＳＬINI  …（６）
さらに、メモリに格納された波長断検出直前のスパンロスの変動量ΔＳＬMEMに対して、上記波長断発生中のスパンロスの変動量ΔＳＬOSCを反映させることにより、次の（７）式に示す関係に従って、現在のスパンロスの変動量ΔＳＬNOWが計算される。
【００５８】
ΔＳＬNOW＝ΔＳＬMEM＋ΔＳＬOSC  …（７）
そして、前述した（３）式におけるΔＳＬとして、上記の現在のスパンロスの変動量ΔＳＬNOWを用いると共に、（３）式における補正値Ａとして、メモリに格納された波長断検出直前の値を用いることにより、波長断発生時における利得Ｇが算出され、その利得Ｇに従って光増幅器５１の信号レベル一定制御が行われる。
【００５９】
なお、上記の波長断発生時における一連の計算は、ミリ秒オーダーの周期で行われるものとする。
【００６０】
上記のように第２実施形態のＷＤＭ光伝送システムによれば、ＷＤＭ信号光の波長断発生時においても、上流側のＯＳＣ出力レベルと下流側のＯＳＣ入力レベルを用いてスパンロスの変動量をモニタすることで、光増幅器５１の利得制御を正しく行うことができる。よって、波長断の復旧時におけるＷＤＭ信号光の伝送品質を良好に保つことが可能になる。
【００６１】
なお、上記の第２実施形態では、上流側の光増幅ユニット３０内の合波器３５の後段にＯＳＣ出力モニタ３６を設け、下流の光増幅ユニット５０内の分波器５２の前段にＯＳＣ入力モニタ３６を設けるようにしたが、本発明におけるＯＳＣ出力モニタ３６およびＯＳＣ入力モニタ３６の配置は上記の一例に限定されるものではなく、例えば図３に示すように、ＯＳＣ送信器３４の出力端にＯＳＣ出力モニタ３６を配置し、ＯＳＣ受信器５５の入力端にＯＳＣ入力モニタ５７を配置するようにしてもよい。
【００６２】
また、上記の第２実施形態では、ＷＤＭ信号光の波長断発生時においても監視制御光は疎通していることを前提としたが、例えば、ＯＳＣ送信器３４の故障等により、監視制御光が断状態となる可能性もある。このようにＷＤＭ信号光の波長断発生中に監視制御光も断状態となるような状況においては、スパンロスをモニタすることが困難であるため、信号レベル一定制御を中止して利得一定制御に切り替えるようにして、波長断復旧時におけるＷＤＭ信号光の伝送品質に与える影響を最小限に抑えることが望ましい。
【００６３】
以上、本明細書で開示した主な発明について以下にまとめる。
【００６４】
（付記１）  波長の異なる複数の光信号が合波された波長多重（ＷＤＭ）信号光を増幅する第１光増幅部と、
前記第１光増幅部で増幅されたＷＤＭ信号光が一端に入力される光伝送路と、
前記光伝送路の他端から出力されるＷＤＭ信号光を増幅する第２光増幅部と、を含んだＷＤＭ光伝送システムにおいて、
前記第１光増幅部に入力されるＷＤＭ信号光の波長数を検出して波長数情報を生成する波長数検出部を備え、
前記第１光増幅部は、
入力されるＷＤＭ信号光を増幅する第１光増幅器と、
前記第１光増幅器から出力されるＷＤＭ信号光の総パワーを検出して第１信号出力レベル情報を生成する第１信号出力モニタと、
前記波長数検出部で生成された波長数情報および前記第１信号出力モニタで生成された第１信号出力レベル情報を含んだ監視制御光を送信する監視制御光送信器と、
前記第１光増幅器で増幅されたＷＤＭ信号光および前記監視制御光送信器から送信された監視制御光を合波して前記光伝送路の一端に与える合波器と、を有し、
前記第２光増幅部は、
前記光伝送路の他端から出力される光をＷＤＭ信号光および監視制御光に分波する分波器と、
前記分波器で分波されたＷＤＭ信号光を増幅する第２光増幅器と、
前記第２光増幅器に入力されるＷＤＭ信号光の総パワーを検出して信号入力レベル情報を生成する信号入力モニタと、
前記第２光増幅器から出力されるＷＤＭ信号光の総パワーを検出して第２信号出力レベル情報を生成する第２信号出力モニタと、
前記分波器で分波された監視制御光を受信して前記波長数情報および前記第１信号出力レベル情報を取得する監視制御光受信器と、
前記監視制御光受信器で取得された第１信号出力レベル情報および前記信号入力モニタで生成された信号入力レベル情報を用いて前記光伝送路における損失を計算し、その損失に基づいて前記第２光増幅器に設定する利得を算出すると共に、前記監視制御光受信器で取得された波長数情報を用いて前記第２光増幅器の目標信号出力レベルを計算し、その目標信号出力レベルと前記第２信号出力モニタで生成された第２信号出力レベル情報との差分を補正値として前記算出した利得の補正を行い、その補正した利得に従って前記第２光増幅器を制御する制御回路と、を有することを特徴とするＷＤＭ光伝送システム。
【００６５】
（付記２）  付記１に記載のＷＤＭ光伝送システムであって、
前記制御回路は、前記監視制御光受信器で取得された波長数情報および前記計算した光伝送路の損失を用いて前記第２光増幅器の目標信号入力レベルを計算し、その目標信号入力レベルと前記信号入力モニタで生成された信号入力レベル情報との差分を前記補正値とすることを特徴とするＷＤＭ光伝送システム。
【００６６】
（付記３）  付記１に記載のＷＤＭ光伝送システムであって、
前記制御回路は、前記信号入力モニタのモニタ結果を基にＷＤＭ信号光の波長数が０波であることを判断したとき、前記光伝送路における損失の計算を中止して、前記第２光増幅器を利得一定制御することを特徴とするＷＤＭ光伝送システム。
【００６７】
（付記４）  付記１に記載のＷＤＭ光伝送システムであって、
前記第１光増幅部は、
前記光伝送路の一端に向けて出力される監視制御光のパワーを検出して監視制御光出力レベル情報を生成する監視制御光出力モニタを有し、
前記監視制御光送信器は、前記波長数検出部で生成された波長数情報、前記第１信号出力モニタで生成された第１信号出力レベル情報および前記監視制御光出力モニタで生成された監視制御光出力レベル情報を含んだ監視制御光を送信し、
前記第２光増幅部は、
前記光伝送路の他端より入力される監視制御光のパワーを検出して監視制御光入力レベル情報を生成する監視制御光入力モニタを有し、
前記監視制御光受信器は、前記分波器で分波された監視制御光を受信して前記波長数情報、前記第１信号出力レベル情報および前記監視制御光出力レベル情報を取得し、
前記制御回路は、前記信号入力モニタのモニタ結果を基にＷＤＭ信号光の波長数が０波であることを判断したとき、前記監視制御光受信器で取得された監視制御光出力レベル情報および前記監視制御光入力モニタで生成された監視制御光入力レベル情報を用いて前記光伝送路における損失を計算することを特徴とするＷＤＭ光伝送システム。
【００６８】
（付記５）  付記４に記載のＷＤＭ光伝送システムであって、
前記監視制御光出力モニタは、前記合波器から前記光伝送路の一端に送られる監視制御光のパワーを検出し、
前記監視制御光入力モニタは、前記光伝送路の他端から前記分波器に送られる監視制御光のパワーを検出することを特徴とするＷＤＭ光伝送システム。
【００６９】
（付記６）  付記４に記載のＷＤＭ光伝送システムであって、
前記監視制御光出力モニタは、前記監視制御光送信器から前記合波器に送られる監視制御光のパワーを検出し、
前記監視制御光入力モニタは、前記分波器から前記監視制御光受信器に送られる監視制御光のパワーを検出することを特徴とするＷＤＭ光伝送システム。
【００７０】
（付記７）  付記４に記載のＷＤＭ光伝送システムであって、
前記第２光増幅部の制御回路は、監視制御光の断状態を判断したとき、前記光伝送路における損失の計算を中止して、前記第２光増幅器を利得一定制御することを特徴とするＷＤＭ光伝送システム。
【００７１】
（付記８）  光伝送装置から光伝送路を介して入力される波長多重信号光を増幅する光増幅部を有する光増幅装置であって、
前記波長多重信号光の波長数情報と、前記光伝送装置が出力する前記波長多重信号光の光パワーレベルである第１信号出力レベル情報とを含む監視制御光を受信する監視制御光受信部と、
前記入力された波長多重信号光の光パワーレベルを検出し、信号入力レベル情報として出力する第１の光検出部と、
前記光増幅部で増幅された前記波長多重信号光の光パワーレベルを検出し、第２信号出力レベル情報として出力する第２の光検出部と、
前記第１信号出力レベル情報および前記信号入力レベル情報を用いて前記光伝送路における損失を計算し、その損失に基づいて前記光増幅部に設定する利得を算出すると共に、前記波長数情報を用いて前記光増幅部の目標信号出力レベルを計算し、その目標信号出力レベルと前記第２信号出力レベル情報との差分を補正値として前記算出した利得の補正を行い、その補正した利得に従って前記光増幅部を制御する制御回路と、を有することを特徴とする光増幅装置。
【００７２】
（付記９）  付記８に記載の光増幅装置であって、
前記制御回路は、前記波長数情報および前記計算した光伝送路の損失を用いて前記光増幅部の目標信号入力レベルを計算し、その目標信号入力レベルと前記信号入力レベル情報との差分を前記補正値とすることを特徴とする光増幅装置。
【００７３】
（付記１０）  付記８に記載の光増幅装置であって、
前記制御回路は、前記第１の光検出部の検出結果を基にＷＤＭ信号光の波長数が０波であることを判断したとき、前記光伝送路における損失の計算を中止して、前記光増幅部を利得一定制御することを特徴とする光増幅装置。
【００７４】
（付記１１）  付記８に記載の光増幅装置であって、
前記光伝送路より入力される監視制御光の光パワーレベルを検出し、監視制御光入力レベル情報として出力する第３の光検出部を有し、
前記監視制御光受信器は、前記波長数情報と、前記第１信号出力レベル情報と、前記光伝送装置が出力する監視制御光のパワーを示す監視制御光出力レベル情報とを含む監視制御光を受信し、
前記制御回路は、前記第１の光検出部の検出結果を基にＷＤＭ信号光の波長数が０波であることを判断したとき、前記監視制御光出力レベル情報および前記監視制御光入力レベル情報を用いて前記光伝送路における損失を計算することを特徴とする光増幅装置。
【００７５】
（付記１２）  付記１１に記載の光増幅装置であって、
前記制御回路は、監視制御光の断状態を判断したとき、前記光伝送路における損失の計算を中止して、前記光増幅部を利得一定制御することを特徴とする光増幅装置。
【図面の簡単な説明】
【００７６】
【図１】本発明の第１実施形態によるＷＤＭ光伝送システムの主要部の構成を示すブロック図である。
【図２】本発明の第２実施形態によるＷＤＭ光伝送システムの主要部の構成を示すブロック図である。
【図３】上記第２実施形態に関連した他の構成例を示すブロック図である。
【図４】利得一定制御された光増幅器を用いた従来のＷＤＭ光伝送システムの一例を示す図である。
【図５】従来の波長数情報を用いた信号レベル一定制御の問題点を説明する図である。
【図６】従来のスパンロスモニタによる信号レベル一定制御を適用したＷＤＭ光伝送システムの主要部の構成例を示す図である。
【図７】従来の信号レベル一定制御における信号波形を比較した図である。
【図８】従来のスパンロスモニタによる信号レベル一定制御の問題点を説明する図である。
【符号の説明】
【００７７】
１…伝送路ファイバ
１０…光合分波ユニット
１１…合分波部
１２…波長数検出部
３０，５０…光増幅ユニット
３１，５１…光増幅器
３２，５４…信号出力モニタ
３３，５６…制御回路
３４…ＯＳＣ送信器
３５…合波器
３６…ＯＳＣ出力モニタ
５２…分波器
５３…信号入力モニタ
５５…ＯＳＣ受信器
５７…ＯＳＣ入力モニタ
【図１】
2008085712.tif 000003
【図２】
2008085712.tif 000004
【図３】
2008085712.tif 000005
【図４】
2008085712.tif 000006
【図５】
2008085712.tif 000007
【図６】
2008085712.tif 000008
【図７】
2008085712.tif 000009
【図８】
2008085712.tif 000010